(57)【特許請求の範囲】
【請求項１】
記録再生トラックの線速を一定にし、且つ、記録再生周波数を一定にしたＣＬＶ（線速度一定）方式で記録された光ディスクを、光ディスクを回転させるスピンドルモータの回転速度および記録再生周波数を一定にしたＣＡＶ（回転速度一定）方式で再生する光ディスク再生装置であって、
前記光ディスクの外周部と内周部の間を半径方向に直線的に走査して記録されたデータに対応したＲＦ信号を取得する光ピックアップ手段と、
該光ピックアップ手段を介して前記光ディスクから読み出されたＲＦ信号の利得を制御するイコライザと、
前記光ピックアップ手段の位置を検出する位置検出センサと、
該位置検出センサの検出結果に応じて、前記イコライザの利得特性のカットオフ周波数を可変制御するカットオフ周波数制御手段と、を備え、
前記カットオフ周波数制御手段は、マイクロコンピュータと、該マイクロコンピュータから出力される複数の電流制御信号のそれぞれによってオン、オフ制御される複数のバイポーラ・トランジスタと、該複数のバイポーラ・トランジスタのそれぞれと直列に接続された複数の抵抗とにより構成され、前記イコライザは前記複数の抵抗の電圧を受けて、前記光ピックアップ手段の走査位置が前記光ディスクの外周部に近づくに従って、前記カットオフ周波数が高くなり、前記光ピックアップ手段の走査位置が前記光ディスクの内周部に近づくに従って、前記カットオフ周波数が低くなるように、予め設定された所定段階のカットオフ周波数の中から選択することを特徴とする光ディスク再生装置。
【請求項２】
記録再生トラックの線速を一定にし、且つ、記録再生周波数を一定にしたＣＬＶ（線速度一定）方式で記録された光ディスクを、光ディスクを回転させるスピンドルモータの回転速度および記録再生周波数を一定にしたＣＡＶ（回転速度一定）方式で再生する光ディスク再生装置であって、
前記光ディスクの外周部と内周部の間を半径方向に直線的に走査して記録されたデータに対応したＲＦ信号を取得する光ピックアップ手段と、
該光ピックアップ手段を介して前記光ディスクから読み出されたＲＦ信号の利得を制御するイコライザと、
前記光ピックアップ手段の位置を検出するピックアップ位置検出手段と、
該ピックアップ位置検出手段の検出結果に応じて、前記イコライザの利得特性のカットオフ周波数を可変制御するカットオフ周波数制御手段と、を少なくとも備え、
前記カットオフ周波数制御手段は、マイクロコンピュータと、該マイクロコンピュータから出力される複数の制御信号のそれぞれによってオン、オフ制御される複数のトランジスタと、該複数のトランジスタのそれぞれと直列に接続された複数の抵抗とにより構成され、
前記複数の抵抗の電圧が前記イコライザに供給されて、該イコライザのカットオフ周波数が、前記光ピックアップ手段の走査位置が前記光ディスクの外周部に近づくに従って高くなり、前記光ピックアップ手段が前記光ディスクの走査位置が内周部に近づくに従って低くなるように制御することを特徴とする光ディスク再生装置。
【請求項３】
前記制御信号は電流信号であり、前記トランジスタはバイポーラ・トランジスタであることを特徴とする請求項２に記載の光ディスク再生装置。
【請求項４】
前記カットオフ周波数制御手段は、前記ピックアップ位置検出手段の検出結果に応じて、予め設定された所定段階のカットオフ周波数の中から選択することを特徴とする請求項２または請求項３に記載の光ディスク再生装置。
【請求項５】
前記ピックアップ位置検出手段は、前記光ピックアップ手段の位置を位置センサにより検出することを特徴とする請求項２から請求項４の何れかに記載の光ディスク再生装置。
【請求項６】
前記ピックアップ位置検出手段は、前記光ピックアップ手段が前記光ディスクの所定データの走査を開始してからの時間を計測し、経過時間に基づいて光ピックアップ手段の位置を算出することを特徴とする請求項２から請求項４の何れかに記載の光ディスク再生装置。
【請求項７】
前記ピックアップ位置検出手段は、前記光ピックアップ手段が前記光ディスクに記録されたデータから取得したトラック情報に基づいて光ピックアップ手段の位置を算出することを特徴とする請求項２から請求項４の何れかに記載の光ディスク再生装置。
【発明の詳細な説明】
【０００１】
【発明の属する技術分野】
本発明は、ＣＬＶ（線速度一定）方式で記録されたデータをＣＡＶ（回転速度一定）方式で再生する光ディスク再生装置に関する。
【０００２】
【従来の技術】
コンピュータ等の外部記憶装置の記録メディアとして、ＣＤディスク、ＤＶＤディスク等の光ディスクが実用化され普及している。
これらの光ディスクのセクタの配置法としては、光ディスクを回転させるスピンドルモータの回転速度および記録再生周波数を一定にしたＣＡＶ(Constant Angular Velocity：回転角一定)方式と、スピンドルモータの回転速度をトラック半径に反比例した回転速度で回転させ（即ち、内周側で速く、外周側で遅く回転させて記録再生トラックの線速を一定にさせる）、且つ、記録再生周波数を一定にしたＣＬＶ(Constant Linear Velocity：線速一定)方式などが提案され実用化されている。
これらのセクタの配置法によって記録された光ディスクの再生装置としては、例えば特開平６−２７５０１４号公報、特開平１０−２１４４５８号公報等に示されるものなどがある。
【０００３】
ところで、ＣＬＶ方式は、記憶容量が大きくなるという利点を有しているが、記録再生のアクセスが遅いという欠点がある。
また、ＣＬＶ方式で記録された光ディスクを高速で読み出す場合には、スピンドルモータのトルクを大きくしてスピンドルモータ自体の応答速度を上げる必要がある。そのために、スピンドルモータを大型化して大きな電流を流す必要があるが、光ディスク再生装置に供給可能な電力には限りがあるためスピンドルモータに供給できる電流量にも限界がある。また、再生装置の小型化が求められる現状では、スピンドルモータの大型化にも制約がある。
【０００４】
また、ＣＬＶ方式では、光ピックアップを高速にランダムアクセスさせる場合に、光ピックアップを高速で光ディスクの半径方向に移動させる必要があり、また、その度に光ディスクの回転数を加減制御する必要があった。このため、光ディスクの回転数が安定するまでに相当の時間が必要であり、回転数が安定するまではデータの再生を行うことができず、データアクセスの効率が悪いという問題があった。
【０００５】
一方、ＣＡＶ方式は、比較的簡易な回路構成で記録再生のアクセスを高速に行うことができるというメリットを有する反面、記録容量が少ないという欠点を抱えている。
【０００６】
【発明が解決しようとする課題】
そこで、上述のようなＣＬＶ方式とＣＡＶ方式がそれぞれ抱える欠点を克服するために、ＣＬＶ方式で記録された光ディスクのデータをＣＡＶ方式で再生する方式が提案されている。
【０００７】
ところが、ＣＬＶ方式で記録された光ディスクのデータをＣＡＶ方式で再生すると、光ディスクの外周部ほど再生速度が速くなるという問題が生じる。
例えば、ＤＶＤディスクにおいて、最内周での再生周波数は例えば４．４ＭＨｚ程度なのに対して、最外周での再生周波数は例えば１０．６ＭＨｚ程度まで高くなってしまう。
【０００８】
また、再生された信号を正しく２値化するためにはイコライザを設けて利得を上げる必要があるが、光ディスクの内周に近い付近の利得を持ち上げる様にイコライザを構成した場合には、光ディスクの中間位置および外周付近の利得が不足して、正しく２値化することができず、ジッタ量が増加してエラー発生率が増加するという問題があった。
【０００９】
この問題を解消するためには、所定の再生周波数までを平坦化できるようにイコライザを設計する必要があるが、このようなイコライザを設計することは困難である。即ち、イコライザの利得特性曲線を如何に設定しても、１つのパターンのイコライズ特性によっては、ＣＡＶ再生により再生速度が変化した場合にディスク全域に亘って所期の特性を得ることはできず、エラー発生率を有効に低減することはできないという問題があった。
【００１０】
この発明は、上記問題点を解決すべく案出されたものであり、ＣＬＶ方式で記録された光ディスクのデータをＣＡＶ方式で再生する場合において、光ディスクの全周におけるエラー発生率を有効に低減することのできる光ディスク再生装置を提供することを目的としている。
【００１１】
【課題を解決するための手段】
上記目的を達成するために、本発明は、記録再生トラックの線速を一定にし、且つ、記録再生周波数を一定にしたＣＬＶ（線速度一定）方式で記録された光ディスク（Ｄ）を、光ディスクを回転させるスピンドルモータ（６）の回転速度および記録再生周波数を一定にしたＣＡＶ（回転速度一定）方式で再生する光ディスク再生装置であって、前記光ディスクの外周部（Ｄ１）と内周部（Ｄ２）の間を半径方向に直線的に走査して記録されたデータに対応したＲＦ信号を取得する光ピックアップ手段（光ピックアップ１）と、該光ピックアップ手段を介して前記光ディスクから読み出されたＲＦ信号の利得を制御するイコライザ（Ｅ）と、前記光ピックアップ手段の位置を検出するピックアップ位置検出手段（光センサＳ）と、該ピックアップ位置検出手段の検出結果に応じて、前記イコライザの利得特性のカットオフ周波数（Ｃ１〜Ｃ５）を可変制御するカットオフ周波数制御手段（例えばマイクロコンピュータＭおよびＶＣＡ７）とを少なくとも備え、前記カットオフ周波数制御手段は、マイクロコンピュータと、該マイクロコンピュータから出力される複数の電流制御信号のそれぞれによってオン、オフ制御される複数のトランジスタと、該複数のトランジスタのそれぞれと直列に接続された複数の抵抗とにより構成されるようにした。
【００１２】
これにより、光ピックアップ手段の位置に応じてイコライザの利得特性のカットオフ周波数を可変することができるので、イコライザの利得特性曲線を変えることにより、光ディスクの中間および外周付近で利得が不足する事態を解消することができ、データを正しく２値化してエラー発生率を低減することができる。
【００１３】
また、カットオフ周波数制御手段は、前記光ピックアップ手段の走査位置が前記光ディスクの外周部に近づくに従って、前記カットオフ周波数を高く設定し、前記光ピックアップ手段の走査位置が前記光ディスクの内周部に近づくに従って、前記カットオフ周波数を低く設定するように制御するとよい。これにより、ＣＡＶ方式における光ディスクの外周部ほど再生速度が速くなるという特性に合わせてカットオフ周波数を変更することができ、エラー発生率を有効に低減することができる。
【００１４】
また、カットオフ周波数制御手段は、前記ピックアップ位置検出手段の検出結果に応じて、前記カットオフ周波数を無段階に切り換えるようにできる。これにより、光ピックアップ手段の位置に応じてきめ細かくカットオフ周波数を変更することができ、エラー発生率をより有効に低減することができる。
【００１５】
また、カットオフ周波数制御手段は、前記ピックアップ位置検出手段の検出結果に応じて、前記カットオフ周波数を、予め設定された所定数段階のカットオフ周波数の中から選択するようにしてもよい。これにより、比較的安価な構成で光ピックアップ手段の位置に応じてカットオフ周波数を変更することができ、エラー発生率を有効に低減することができる。
【００１６】
また、前記ピックアップ位置検出手段は、前記光ピックアップ手段の位置を位置センサにより実測するようにできる。これにより、光ピックアップ手段の位置を正確に検出することができ、ピックアップ手段の位置に応じたカットオフ周波数の変更を的確に行うことができる。
【００１７】
また、前記ピックアップ位置検出手段は、前記光ピックアップ手段が前記光ディスクの所定データの走査を開始してからの時間を計測し、経過時間に基づいて光ピックアップ手段の位置を算出するようにしてもよい。これにより、比較的安価な構成で光ピックアップ手段の位置を検出することができる。
【００１８】
また、前記ピックアップ位置検出手段は、前記光ピックアップ手段が前記光ディスクに記録されたデータから取得したトラック情報に基づいて光ピックアップ手段の位置を算出するようにしてもよい。これにより、比較的安価な構成で光ピックアップ手段の位置を正確に検出することができる。
【００１９】
【発明の実施の形態】
以下、本発明の好適な実施形態を図面に基づいて説明する。
図１は第１の実施形態に係る光ディスク再生装置Ｐ１の概略構成図、図２は第１の実施形態に係る光ディスク再生装置Ｐ１に適用されるイコライザの特性曲線図である。
なお、本実施形態に係る光ディスク再生装置Ｐ１では、ＣＬＶ方式で記録された光ディスクのデータをＣＡＶ方式で再生する方式を採用するが、当該方式およびそれを実現する構成等は周知であるので、それらの詳細な説明は省略する。
【００２０】
図１において、光ディスクＤは、ＣＬＶ(Constant Linear Velocity：線速一定)方式でデータが記録されている例えばＤＶＤディスクあるいはＣＤディスクである。
光ディスクＤに記録されているデータは、光ピックアップ１によって検出され、光電変換素子（図示せず）を介して電気信号に変換され、増幅回路２で増幅された後、イコライザＥに供給される。
イコライザＥでは、マイクロコンピュータＭの制御によって設定されるカットオフ周波数（例えば図２に示すＣ１〜Ｃ５）付近の利得が大きくなるように増幅され、データや映像のＲＦ信号（高周波信号）が出力される。このＲＦ信号は、図示しないデータスライス回路で２値化される。
【００２１】
また、サーボプロセッサ３の検出回路で検出されるトラッキング制御信号およびフォーカス制御信号は、サーボプロセッサ３の位相補償回路で位相補償されてから駆動回路４に供給される。駆動回路４の出力は、光ピックアップ１の図示しないフォーカスコイルおよびトラッキングコイルに供給されてフォーカスおよびトラッキングが制御される。
【００２２】
さらに、マイクロコンピュータＭからのスライダ制御信号およびモータ回転数制御信号は、サーボプロセッサ３を介して駆動回路４に供給される。
駆動回路４から出力されるスライダ制御信号によって、光ピックアップ１を搭載したスライダ（アクチュエータ）５の光ディスクＤの半径方向の移動が制御される。また、駆動回路４からのモータ回転制御信号によってスピンドルモータ６の回転数が制御される。なお、スピンドルモータ６の制御はＣＡＶ方式で行われる。イコライザＥとしては、特に限定されないが、例えばベッセルタイプのローパスフィルタ等が用いられる。
【００２３】
本実施形態においては、光ピックアップ１の近傍位置に、光ピックアップ１の位置を検出する位置センサとしての光センサＳが配置されている。この光センサＳからの検出信号はマイクロコンピュータＭに入力され、マイクロコンピュータＭはそれに基づいて光ピックアップ１が、光ディスクＤの半径方向のどの位置いるかを判定し、その判定結果に基づいて最適なカットオフ周波数を決定する。マイクロコンピュータＭは、その決定結果に基づく制御信号をＶＣＡ（ボルテージ・コントロール・アンプ）７に対して出力する。
【００２４】
ＶＣＡ７は、その制御信号に基づいて所定の制御電圧を生成し、イコライザＥに印加する。この制御電圧に基づいてイコライザＥは、例えば図２（ａ）のＣ１〜Ｃ５の何れかのカットオフ周波数に設定された特性曲線を備えたフィルタとして機能する。
【００２５】
より具体的には、マイクロコンピュータＭは、光ピックアップ１の位置が光ディスクＤの外周部Ｄ１側から内周部Ｄ２側へ移動する場合に、光センサＳの位置検出結果に応じて、イコライザＥのカットオフ周波数は、Ｃ５→Ｃ４→Ｃ３→Ｃ２→Ｃ１のように順次切り換えられるように制御する。
これにより、光ディスクＤの中間および外周付近で利得が不足する事態を解消することができ、データを正しく２値化してエラー発生率を有効に低減することができる。
【００２６】
なお、本実施形態では、光センサＳにより光ピックアップ１の位置を検出する場合について述べたが、これに限らず、例えば光ピックアップ１の位置が光ディスクＤの外周部Ｄ１側から内周部Ｄ２側へ順次移動する場合には、光ピックアップ１が走査を開始した時からの経過時間に基づいて光ピックアップ１の光ディスクＤの半径方向の位置を算出するようにしてもよい。また、光ピックアップ１を介して取得されるトラック情報に基づいて、光ピックアップ１の光ディスクＤの半径方向の位置を割り出すようにしてもよい。何れの方法によっても、光ピックアップ１の位置情報に基づいてイコライザＥのカットオフ周波数を可変制御することが可能である。
【００２７】
さらに、例えばＤＶＤディスク等では、両面にデータが記録されたり、複数層に亘ってデータが記録される場合があるが、それらのデータの読込を切り換える際に、光ピックアップ１の移動方向が例えば外周部Ｄ１→内周部Ｄ２→外周部Ｄ１と逆転させる制御を行う場合がある。その場合にも、光ピックアップ１の位置に応じてイコライザＥのカットオフ周波数を、Ｃ１→Ｃ２→Ｃ３→Ｃ４→Ｃ５のように逆方向に順次切り換えられるように制御することにより、光ディスクＤの中間および外周付近で利得が不足する事態を解消することができエラー発生率を低減することができる。
【００２８】
また、図２（ａ）では、カットオフ周波数をＣ１〜Ｃ５の５段階に切り換える場合について示したが、これに代えて例えば図２（ｂ）に示すようにカットオフ周波数を特性曲線Ｃ１００ａと特性曲線Ｃ１００ｂとの間で無段階（リニア）に変化させるように制御してもよい。これにより、光ピックアップ１の位置に応じてきめ細かくカットオフ周波数を変更することができ、エラー発生率をより有効に低減することができる。
【００２９】
次に、図３と図４を参照して、第２の実施形態に係る光ディスク再生装置Ｐ２について説明する。
図３は第２の実施形態に係る光ディスク再生装置Ｐ２の概略構成図、図４は第２の実施形態に係る光ディスク再生装置に適用されるイコライザの特性曲線図である。
なお、上述の第１の実施形態に係る光ディスク再生装置Ｐ１と同様の構成については同一符号を付して説明は省略する。
第２の実施形態に係る光ディスク再生装置Ｐ２は、上記第１の実施形態におけるＶＣＡ７に代えて、カットオフ周波数の切換回路１００が設けられている。
【００３０】
切換回路１００は、マイクロコンピュータＭからの制御電流に基づいてオン／オフされるスイッチングトランジスタＴ１〜Ｔ３と、各トランジスタＴ１〜Ｔ３と接続され所定の電圧をイコライザＥに印加する抵抗器Ｒ１〜Ｒ３とから構成されている。
【００３１】
本実施形態におけるイコライザＥは、図４に示すように、抵抗器Ｒ１の電圧により光ディスクＤの内周側Ｄ２に対応させた特性曲線Ｃ１０を、抵抗器Ｒ２の電圧により光ディスクＤの中間位置に対応させた特性曲線Ｃ１１を、抵抗器Ｒ３の電圧により光ディスクＤの外周側Ｄ１に対応させた特性曲線Ｃ１２をそれぞれ生成するようになっている。
【００３２】
そして、マイクロコンピュータＭは、光センサＳによる光ピックアップ１の位置検出結果に基づいて、光ピックアップ１が光ディスクＤの外周側Ｄ１に位置すると判定した場合にはスイッチングトランジスタＴ３をオンさせてイコライザＥに特性曲線Ｃ１２を生成させ、光ピックアップ１が光ディスクＤの中間位置にあると判定した場合にはスイッチングトランジスタＴ２をオンさせてイコライザＥに特性曲線Ｃ１１を生成させ、光ピックアップ１が光ディスクＤの内周側Ｄ２に位置すると判定した場合にはスイッチングトランジスタＴ１をオンさせてイコライザＥに特性曲線Ｃ１０を生成させることができる。これにより、光ディスクＤの中間位置および外周付近で利得が不足する事態を解消することができエラー発生率を低減することができる。
【００３３】
なお、本実施形態では、切換回路１００は、スイッチングトランジスタＴ１〜Ｔ３によりイコライザＥの特性を３段階に切り換える場合について説明したが、これに限らず、スイッチングトランジスタの数を増やして４段階以上に特性を切り換えるようにすることもできる。これにより、光ピックアップ１の位置に応じてイコライザＥの特性をより最適化することができる。
【００３４】
以上本発明者によってなされた発明を実施形態に基づき具体的に説明したが、本発明は上記実施形態に限定されるものではなく、その要旨を逸脱しない範囲で変更可能である。
【００３５】
【発明の効果】
本発明に従うと、光ピックアップ手段の位置に応じてイコライザの利得特性のカットオフ周波数を可変することができるので、イコライザの利得特性曲線を変えることにより、光ディスクの中間および外周付近で利得が不足する事態を解消することができ、データを正しく２値化してエラー発生率を低減することができるという効果がある。
【図面の簡単な説明】
【図１】第１の実施形態に係る光ディスク再生装置Ｐ１の概略構成図である。
【図２】第１の実施形態に係る光ディスク再生装置Ｐ１に適用されるイコライザの特性曲線図である。
【図３】第２の実施形態に係る光ディスク再生装置Ｐ２の概略構成図である。
【図４】第２の実施形態に係る光ディスク再生装置Ｐ２に適用されるイコライザの特性曲線図である。
【符号の説明】
Ｐ１，Ｐ２    光ディスク再生装置
１    光ピックアップ
２    増幅回路
３    サーボプロセッサ
４    駆動回路
５    スライダ（アクチュエータ）
６    スピンドルモータ
７    ＶＣＡ
Ｍ    マイクロコンピュータ
Ｅ    イコライザ
Ｄ    光ディスク
１００  切換回路
Ｃ１〜Ｃ５，Ｃ１０〜Ｃ１２，Ｃ１００ａ，Ｃ１００ｂ  イコライザの特性曲線
【図１】
0003978577.tif 000002
【図２】
0003978577.tif 000003
【図３】
0003978577.tif 000004
【図４】
0003978577.tif 000005